(57)【特許請求の範囲】
【請求項１】
遊戯用メダルの汚れを洗浄する遊戯用メダルの洗浄装置であって、
メダルを流通可能に対向して回転可能な一対のスポンジローラと、
該スポンジローラの下流側に配置されメダルを流通可能に対向して回転可能な一対の粘着ローラと、
アルコールトレイ内のアルコール溶液にその一部が浸潤されるとともに前記粘着ローラの前記遊戯用メダルが圧着される部位よりも前記粘着ローラ回転方向の先側において、前記粘着ローラの粘着面とその外周面を接触させて回転可能に設けられた一対のアルコールローラと、
前記粘着ローラの回転方向において、前記アルコールローラと前記粘着ローラとの接触部位よりも先側の部位において前記粘着ローラの粘着面とその外周面を接触させて回転可能に設けられた一対の拭取りローラとを備えたことを特徴とする遊戯用メダルの洗浄装置
【発明の詳細な説明】
【技術分野】
【０００１】
本発明は、遊戯用メダルの洗浄装置に関する。
【背景技術】
【０００２】
従来、スロットマシンなどの遊技機に使用される遊技メダルに付着した汚れを除去するための遊戯用メダルの洗浄装置が用いられている。従来の洗浄装置では、磨き布を用いたり、樹脂ペレットと混在させて攪拌して洗浄したりしていたが、より一層確実に汚れを除去するために、洗浄溶液によってメダルを洗浄する装置も用いられるようになった（例えば、特許文献１参照。）。
【０００３】
【特許文献１】特開平８−２４８０４号公報（図２）
【発明の開示】
【発明が解決しようとする課題】
【０００４】
しかしながら前述した洗浄溶液を用いた従来の洗浄装置では、メダル洗浄のための洗浄溶液を大量に使用するため、処理すべき廃液が大量になり処理作業が多くなるとともに環境への悪影響も懸念されることとなっていた。
【０００５】
本発明は上記した従来の遊戯用メダルの洗浄装置の問題点を解消するものであり、メダル洗浄のための洗浄溶液を低減させることにより、廃液の処理作業を少なくするとももに環境への影響を低減することのできる遊戯用メダルの洗浄装置を提供することを目的とする。
【課題を解決するための手段】
【０００６】
以上の課題を解決するために、本発明の採った手段を以下に説明する。本発明の遊戯用メダルの洗浄装置は、遊戯用メダルの汚れを洗浄する遊戯用メダルの洗浄装置であって、メダルを流通可能に対向して回転可能な一対のスポンジローラと、該スポンジローラの下流側に配置されメダルを流通可能に対向して回転可能な一対の粘着ローラと、アルコールトレイ内のアルコール溶液にその一部が浸潤されるとともに前記粘着ローラの前記遊戯用メダルが圧着される部位よりも前記粘着ローラ回転方向の先側において、前記粘着ローラの粘着面とその外周面を接触させて回転可能に設けられた一対のアルコールローラと、前記粘着ローラの回転方向において、前記アルコールローラと前記粘着ローラとの接触部位よりも先側の部位において前記粘着ローラの粘着面とその外周面を接触させて回転可能に設けられた一対の拭取りローラとを備えたことを特徴とする遊戯用メダルの洗浄装置（請求項１）である。
【０００７】
本発明の洗浄装置では、まず最初に、スポンジローラによってメダル表面に付着した油分や水分を取り除くことができる。次いでスポンジローラによっても取り除けなかった異物などの汚れを粘着ローラによって除去することができる。よって、メダル表面の汚れは確実に除去される。
【０００８】
そして、粘着ローラに吸着されたメダルの汚れは、アルコール溶液に浸潤されたアルコールローラが粘着ローラに圧着されることにより粘着ローラにアルコール溶液が付着され、次いでアルコール溶液と共に拭取りローラによって拭き取られることにより、粘着ローラから容易に除去される。よって、粘着ローラ表面を常にきれいに保つことができる。この際に、大量のアルコール溶液によってメダルを洗浄するような工程をとらず、粘着ローラ表面に付着された汚れは、少量のアルコール溶液を付着して拭き取ることによって常に除去することができる。
【発明の効果】
【０００９】
本発明は上記のように構成されて使用するアルコール溶液を低減させることができるので、廃液の処理作業を少なくするとともに環境への影響を低減することができる。
【発明を実施するための最良の形態】
【００１０】
次に、本発明の遊戯用メダルの洗浄装置の実施の形態を図を参考にして詳細に説明する。図１に示すように、本発明の遊戯用メダルの洗浄装置２０は、スロットマシン１などが多数並設された島設備２の末端に併置されたメダル洗浄ボックス３内に内蔵されている。
【００１１】
図２に示すように、洗浄装置２０は、メダル洗浄ボックス３内の上部に設置されている。メダル洗浄ボックス３下部には、島設備から集められた遊技使用済みメダルが貯められる使用済みメダル貯蔵タンクが設けられている。この使用済みメダル貯蔵タンクから、メダルリフター４によって、メダル洗浄ボックス３上部にまでメダルが順次搬送される。メダルリフター４によって搬送されたメダルは、メダル供給口５から洗浄装置２０内に落下供給される。また、メダル洗浄ボックス３内の洗浄装置２０の下方には洗浄済みのメダルを貯留するメダル貯蔵タンク６が設置されている。
【００１２】
次いで洗浄装置２０について説明する。図３に示すように、洗浄装置２０は、正面視が横長の直方体状に設けられており、右側面には、内蔵する各ローラを駆動するための駆動モータ２２が取り付けられている。
【００１３】
洗浄装置２０には、平面視において正面側が開口された「コ字」状に形成されたフレーム２４が備えられている。図４に示すように、フレーム２４内のやや上方寄りには、上部背面側から中央部正面側にかけて傾斜されて取付固定されたメダル受け板２６が設けられている。また、このメダル受け板２６の前方には、ほぼ鉛直方向に立設して取付固定された落下防止板２８が設けられている。これらのメダル受け板２６及び落下防止板２８により、メダル供給口５から落下供給されるメダルを投入する供給シュート２９が構成されている。供給シュート２９に落下供給されたメダルは、メダル受け板２６上を滑り落ちながら、メダル受け板２６と落下防止板２８との隙間Ａを通過しながら後述する一対のスポンジローラ３０間に挿通されるように落下されるように設けられている。隙間Ａはその間隔がメダル１枚の厚みより僅かに大きく設けられており、２枚以上のメダルが重なり合って通過しないように構成されている。
【００１４】
隙間Ａの斜め下方には、一対のスポンジローラ３０ａ、３０ｂが、フレーム２４の側板２５間にその両軸心を軸支されて回転可能に軸着されている。両スポンジローラ３０ａ，３０ｂは軸心方向が平行に固定されるとともに、スポンジローラ３０ａ，３０ｂのスポンジ３２外周面間は、メダル両面がこれらの外周面に圧着されるように、僅かな隙間Ｂに設けられている。これらのスポンジローラ３０ａ、３０ｂは、メダルを隙間Ｂ下方に送り出すように両スポンジローラ３０ａ、３０ｂ間のスポンジ３２外周面が上方から下方に向かって回転するように駆動される。
【００１５】
また隙間Ｂの斜め下方には、スポンジローラ３０ａ、３０ｂと平行に、一対の粘着ローラ３４ａ，３４ｂが側板２５間にその両軸心を軸支されて回転可能に軸着されている。両粘着ローラ３４ａ，３４ｂは、スポンジローラ３０ａ，３０ｂと同様に、軸心方向が平行に固定されるとともに、これらの粘着面３６間は、メダル両面がこれらの外周面に圧着されるように、僅かな隙間Ｃに設けられている。隙間Ｃの下方には、メダル排出口２７が開口されている。粘着面３６には粘着剤としてブチル系ゴムが用いられており、耐摩耗性や耐溶剤性に優れ、また、長期間の粘着力を保有する。これらの粘着ローラ３４ａ、３４ｂは、メダルを隙間Ｃ下方に送り出すように両粘着ローラ３４ａ、３４ｂ間の粘着面３６が上方から下方に向かって回転するように駆動される。
【００１６】
粘着ローラ３４ａ，３４ｂのメダルが圧着される部位よりも粘着ローラ３４ａ，３４ｂ回転方向の先側において、粘着ローラ３４ａ，３４ｂの粘着面３６とその外周面を接触させて回転可能に側板２５間に軸支されるアルコールローラ３８ａ，３８ｂがそれぞれ軸着されている。アルコールローラ３８ａ，３８ｂには、その外周面に、後述するアルコールトレイ４０ａ，４０ｂ内のアルコール溶液を浸潤させるスポンジ３９が取り付けられている。そして、アルコールローラ３８ａ，３８ｂは、そのほぼ下半分がアルコールトレイ４０ａ，４０ｂ内に収容されている。
【００１７】
前述したように、アルコールローラ３８ａ，３８ｂの下方には、アルコール溶液が満たされた断面半円形状のアルコールトレイ４０ａ，４０ｂが取り付けられている。アルコールトレイ４０ａ，４０ｂ内に満たされたアルコール溶液は工業用無水アルコールの一種であり、このアルコール溶液中にアルコールローラ３８ａ，３８ｂの一部が回転されながら浸潤されている。
【００１８】
また、粘着ローラ３４ａ，３４ｂの近傍には、粘着ローラ３４ａ，３４ｂの回転方向において、アルコールローラ３８ａ，３８ｂと粘着ローラ３４ａ，３４ｂとの接触部位よりも先側の部位において粘着ローラ３４ａ，３４ｂの粘着面３６とその外周面を接触させて回転可能に側板２５間に軸支される拭取りローラ４２ａ，４２ｂがそれぞれ軸着されている。拭取りローラ４２ａ，４２ｂには、その外周面に、粘着ローラ３４ａ，３４ｂの粘着面３６に付着した汚れを拭取るためのスポンジ４３が取り付けられている。なお、拭取りローラ４２ａ，４２ｂはアルコールローラ３８ａ，３８ｂとは接触することなく両者の間には間隔がおかれている。
【００１９】
次いで各ローラの回転駆動方法について説明する。図５に示すように、駆動モータ２２の駆動軸２３に装着された駆動ベルト１０は、アルコールトレイ４０ａ，４０ｂ間に設けられた回転軸１１にその他端側が装着されている。そして、駆動ベルト１０は、スポンジローラ３０ａ、３０ｂ及び粘着ローラ３４ａ，３４ｂの端部外周面に圧着されて、スポンジローラ３０ａ、３０ｂ及び粘着ローラ３４ａ，３４ｂをそれぞれ前述したメダル送出方向に回転駆動する。また、図４に示すように、粘着ローラ３４ａ，３４ｂに圧着して取り付けられているアルコールローラ３８ａ，３８ｂ及び拭取りローラ４２ａ，４２ｂは、粘着ローラ３４ａ，３４ｂによってその回転方向に沿って回転駆動される。
【００２０】
次いで、この洗浄装置２０の作用について説明する。メダルリフター４によって落下投入されたメダルは、供給シュート２９内のメダル受け板２６に沿って滑落し、隙間Ａを通過しながら複数のメダルが重なり合うことなく隙間Ａの長手方向に沿って均される。隙間Ａを通過したメダルは、その両面がスポンジローラ３０ａ、３０ｂに圧着されながら隙間Ｂを通過して下方へ送出される。この際に、スポンジ３２によってメダル表面の水分及び油分が吸着除去される。次いでメダルは、その両面が粘着ローラ３４ａ，３４ｂに圧着されながら隙間Ｃを通過して下方へ送出される。スポンジ３２によっても除去されなかったメダル表面の汚れは、さらに粘着ローラ３４ａ，３４ｂの粘着面３６によって吸着除去される。このようにして、メダルの洗浄が完了する。そして、粘着ローラ３４ａ，３４ｂ間の隙間Ｃを通過した洗浄済みのメダルは、メダル排出口２７から、メダル洗浄ボックス３内のメダル貯蔵タンク６内に落下して貯留される。
【００２１】
ここで、粘着ローラ３４ａ，３４ｂの粘着面３６に吸着されたメダルの汚れは次のように粘着面３６から除去され、粘着面３６に吸着された汚れを取り除いて再度メダル表面の汚れを確実に吸着除去できるように構成されている。まず、図４に示すように、メダルの表面に圧着された部位の粘着面３６は、回転駆動されて、アルコールローラ３８ａ，３８ｂのスポンジ３９に圧着される。スポンジ３９には、あらかじめアルコールトレイ４０ａ，４０ｂ内のアルコール溶液が浸潤されているため、粘着面３６にこのアルコール溶液が付着される。次いでさらにこの部位の粘着面３６は、回転駆動されて、拭取りローラ４２ａ，４２ｂのスポンジ４３に圧着される。粘着面３６に吸着されていた汚れはアルコール溶液によって粘着面３６から除去されやすくなっており、スポンジ４３によって粘着面３６からアルコール溶液とともに拭き取られる。このようにして粘着ローラ３４ａ，３４ｂが一回転する間に、粘着面３６は、メダルの汚れを吸着し、次いでアルコールローラ３８ａ，３８ｂのスポンジ３９によってアルコール溶液を付着され、さらに、拭取りローラ４２ａ，４２ｂのスポンジ４３によってアルコールと共に汚れを除去されて、次のメダルの汚れの吸着に備えられる。
【００２２】
アルコール溶液は、一定程度長時間に渡って継続的に使用が可能であり、交換時期を除いて廃液を排出することはない。また、スポンジローラ３０ａ，３０ｂのスポンジ３２、粘着ローラ３４ａ，３４ｂの粘着面３６、アルコールローラ３８ａ，３８ｂのスポンジ３９及び拭取りローラ４２ａ，４２ｂのスポンジ４３についても、適宜の期間において継続使用が可能であり、交換時期を除いて廃材を生じることはない。
【００２３】
なお、本発明は上記した実施の形態に限られるものではなく、本発明の趣旨の範囲内で種々の変更が可能である。例えば、スロットマシン以外の遊戯用メダルの洗浄に用いることしても良い。また、各ローラの配置を変更することとしても良い。スポンジ、粘着剤、アルコール溶液は、メダルの種類や汚れの程度によって変更することも可能である。また、メダル洗浄ボックス３内に内蔵することに限らず、他の態様にて使用することも可能である。
【図面の簡単な説明】
【００２４】
【図１】本発明の遊戯用メダルの洗浄装置が用いられる遊技ホール内部の斜視図である。
【図２】メダル洗浄ボックスの要部斜視図である。
【図３】洗浄装置の斜視図である。
【図４】洗浄装置の縦断面図である。
【図５】洗浄装置の要部拡大斜視図である。
【符号の説明】
【００２５】
１；スロットマシン、２；島設備、３；メダル洗浄ボックス、４；メダルリフター、５；メダル供給口、６；メダル貯蔵タンク、１０；駆動ベルト、１１；回転軸、２０；メダル洗浄装置、２２；駆動モータ、２３；駆動軸、２４；フレーム、２５；側板、２６；メダル受け板、２７；メダル排出口、２８；落下防止板、２９；供給シュート、３０ａ，３０ｂ；スポンジローラ、３２；スポンジ、３４ａ，３４ｂ；粘着ローラ、３６；粘着面、３８ａ，３８ｂ；アルコールローラ、３９；スポンジ、４０ａ，４０ｂ；アルコールトレイ、４２ａ，４２ｂ；拭取りローラ、４３；スポンジ、Ａ，Ｂ，Ｃ；隙間。
【図１】
0004594353.tif 000002
【図２】
0004594353.tif 000003
【図３】
0004594353.tif 000004
【図４】
0004594353.tif 000005
【図５】
0004594353.tif 000006